(57)【要約】【課題】施工による騒音や振動などの性能がばらついてしまわない浴室暖房乾燥機を提供することを目的とする。【解決手段】フランジ７を備えた浴室暖房乾燥機本体８において浴室天井面５の天井開口６に下側から浴室暖房乾燥機本体８を入れ、浴室暖房乾燥機本体８のフランジ７を浴室天井面５に対して水平にまた、浴室天井面５に対して接触させない状態で浴室暖房乾燥機本体８の固定を行い、浴室暖房乾燥機本体８の固定を行った後に浴室天井面５とフランジ７をシールすることにより、浴室暖房乾燥機本体８の循環用ファン１などが回転することによって発生する振動が浴室天井面に伝播させるのを軽減、および施工による振動伝播のばらつきを少なくすることができる浴室暖房乾燥機を提供できる。【選択図】図１
2007322072.tif 000002
【特許請求の範囲】
【請求項１】
浴室内の空気を循環させる循環送風手段と、この循環させる空気を温める加熱手段と、底面にパネルとフロントパネルとを備えた浴室暖房乾燥機において、浴室天井面と浴室暖房乾燥機本体との位置決めを行った後にシール材を用いて前記浴室天井面と浴室暖房乾燥機本体をシールする構成を特徴とした浴室暖房乾燥機。
【請求項２】
浴室暖房乾燥機本体から取り外されたパネルを用いて、浴室天井面と浴室暖房乾燥機本体をシールする構成を特徴とした請求項１記載の浴室暖房乾燥機。
【請求項３】
パネルに、吸込み気流と吹出し気流を仕切る構成を特徴とした請求項１または２記載の浴室暖房乾燥機。
【請求項４】
パネルに、フロントパネル取り付ける構成を特徴とした請求項１〜３のいずれかに記載の浴室暖房乾燥機。
【請求項５】
パネルに、浴室暖房乾燥機本体に組み込まれた電装ボックスにシールを設ける構成を特徴とした請求項１〜４のいずれかに記載の浴室暖房乾燥機。
【発明の詳細な説明】
【技術分野】
【０００１】
本発明は、浴室内の暖房および浴室内に吊り下げた洗濯物等を乾燥せしめる浴室暖房乾燥機に関する。
【背景技術】
【０００２】
従来、この種の浴室暖房乾燥機の施工の例として、浴室の天井とあらかじめシール材を貼られたフランジを接触させる方法が知られている（例えば、特許文献１参照）。
【０００３】
浴室暖房乾燥機の施工には、浴室空間の湿度を天井裏空間に漏らさないための工夫が必要となる。そこで、浴室暖房乾燥機の施工する方法には、浴室ユニットの浴室天井面を施工するよりも前に浴室暖房乾燥機本体を天井部分に設置しておく本体先付け方式と、浴室天井面の施工後に浴室暖房乾燥機本体を天井部分に設置する本体後付け方式の２種類がある。
【０００４】
以下、浴室暖房乾燥機の施工方法について、図７および図８を参照しながら説明する。
【０００５】
図７は、従来の浴室暖房乾燥機１０１の本体後付け施工後の内部構造を示す断面図、図８は、従来の浴室暖房乾燥機１０１の本体先付け施工後の内部構造を示す断面図である。
【０００６】
図７に示すように、本体後付け施工後の構成は、浴室天井面１０２を開口１０２ａして、浴室天井面１０２の下側から浴室暖房乾燥機本体１０３を吊ボルト１０４と浴室暖房乾燥機本体１０３に設けられた吊ボルト固定部１０６に吊ボルト１０４があうように入れ、吊ボルト１０４にて浴室暖房乾燥機本体１０３を吊り下げる。その時、浴室天井面１０２の開口１０２ａの縁と浴室暖房乾燥機本体１０３との間の隙間による湿度漏れを防止するため、浴室暖房乾燥機本体１０３の下面に設けられたフランジ１０５を浴室天井面１０２の下面に当て、その後フロントパネル１０７と浴室暖房乾燥機本体１０３を固定している。
【０００７】
また、図８に示すように、本体先付け施工後の構成は、開口１０２ａされた浴室天井面１０２の上に浴室暖房乾燥機本体１０３を乗せ、浴室暖房乾燥機本体１０３下部のフランジ１０５を浴室天井面１０２の上面に当て、その後フロントパネル１０７と浴室暖房乾燥機本体１０３を固定している。
【特許文献１】特開２００１−２０８４１３号公報（第図２、第図４）
【発明の開示】
【発明が解決しようとする課題】
【０００８】
このような従来の浴室暖房乾燥機１０１では、本体後付けの場合、浴室天井面１０２とフランジ１０５の接触の強さによって、浴室暖房乾燥機１０１の騒音や振動など性能がばらついてしまうとの弊害があった。
【０００９】
また、フランジ１０５が妨害をし吊ボルト１０４と吊ボルト固定部１０６をあうように入れるのが困難であった。
【００１０】
また、本体先付けの場合、加熱手段１０８で暖められた空気は、循環送風手段１０９を通り、本来ならば、フロントパネル１０７に取り付けられている吹出口１１０からでなければならないが、循環送風手段１０９を出た空気がそのまま加熱手段１０８に戻ってしまい暖房能力などを低下させてしまう恐れがあった。
【００１１】
本発明は、上記従来の課題を解決するものであり、浴室暖房乾燥機本体の吊ボルト固定部と吊ボルトをあわせるのが容易で、かつ浴室天井面とフランジの接触の強さによって浴室暖房乾燥機の騒音や振動など性能がばらついてしまうのを生じないようし、かつ施工方法の違いにより暖房性能の差が出ないようにすることができる浴室暖房乾燥機を提供することを目的とする。
【課題を解決するための手段】
【００１２】
本発明の浴室暖房乾燥機は上記目的を達成するために、浴室内の空気を循環させる循環送風手段と、この循環させる空気を温める加熱手段と、底面にパネルとフロントパネルとを備えた浴室暖房乾燥機において、浴室天井面と浴室暖房乾燥機本体との位置決めを行った後にシール材を用いて前記浴室天井面と浴室暖房乾燥機本体をシールするものである。
【００１３】
この手段により、浴室天井面とフランジの接触の強さによって、浴室暖房乾燥機の騒音や振動など性能がばらついてしまうとの弊害をなくした浴室暖房乾燥機が得られる。
【００１４】
また、他の手段は、浴室暖房乾燥機本体から取り外されたパネルを用いて、浴室天井面と浴室暖房乾燥機本体をシールするものである。
【００１５】
この手段により、フランジが妨害をし吊ボルトと吊ボルト固定部をあうように入れるのが困難ということをなくした浴室暖房乾燥機が得られる。
【００１６】
また、他の手段は、パネルに、吸込み気流と吹出し気流を仕切るものである。
【００１７】
この手段により、循環送風手段を出た空気がそのまま加熱手段に戻ってしまい暖房能力などを低下させてしまう恐れをなくすことができる浴室暖房乾燥機が得られる。
【発明の効果】
【００１８】
本発明によれば、浴室天井面とフランジの接触の強さによって、浴室暖房乾燥機の騒音や振動など性能がばらついてしまうとの弊害をなくしたという効果のある浴室暖房乾燥機の施工方法を提供できる。
【００１９】
また、フランジが妨害をし吊ボルトと吊ボルト固定部をあうように入れるのが困難ということをなくしたことができるという効果のある浴室暖房乾燥機を提供できる。
【００２０】
また、循環送風手段を出た空気がそのまま加熱手段に戻ってしまい暖房能力などを低下させてしまう恐れをなくしたことができるという効果のある浴室暖房乾燥機を提供できる。
【発明を実施するための最良の形態】
【００２１】
本発明の請求項１記載の浴室暖房乾燥機は、浴室内の空気を循環させる循環送風手段と、この循環させる空気を温める加熱手段と、底面にパネルとフロントパネルとを備えた浴室暖房乾燥機において、浴室天井面と浴室暖房乾燥機本体との位置決めを行った後にシール材を用いて前記浴室天井面と浴室暖房乾燥機本体をシールする構成としたものであり、浴室暖房乾燥機本体下面に設けられたフランジと浴室天井面との接触のバラツキがなくなり、浴室暖房乾燥機より浴室天井面に伝わってくる、騒音や振動などに施工によるバラツキがなくなるという作用を有する。
【００２２】
また、本発明の請求項２記載の浴室暖房乾燥機は、浴室暖房乾燥機本体から取り外されたパネルを用いて、浴室天井面と浴室暖房乾燥機本体をシールする構成としたものであり、後付施工時に本体と、天井開口面のすきまから吊ボルト位置が見やすくなることによって浴室暖房乾燥機と吊ボルトを接続することが容易になり、また、本体を吊り下げた後、パネルを用いて浴室天井面と浴室暖房乾燥機本体を容易にシールすることができるという作用を有する。
【００２３】
また、本発明の請求項３記載の浴室暖房乾燥機は、パネルに、吸込み気流と吹出し気流を仕切る構成としたものであり、循環送風手段を出た空気がそのまま加熱手段に戻ってしまい暖房能力などを低下させてしまう恐れをなくしたことができるという作用を有する。
【００２４】
また、本発明の請求項４記載の浴室暖房乾燥機は、パネルに、フロントパネル取り付ける構成としたものであり、パネルにフロントパネルを固定するという作用を有する。
【００２５】
また、本発明の請求項５記載の浴室暖房乾燥機は、パネルに、浴室暖房乾燥機本体に組み込まれた電装ボックスにシールを設ける構成としたものであり、電装ボックスにシールするという作用を有する。
【００２６】
以下、本発明の実施の形態について図面を参照しながら説明する。
【００２７】
（実施の形態１）
図１および図２に示すように、箱の中に循環用ファン１を回転させる循環用モータ２と、浴室内の空気を循環させる循環用ファン１と空気を加熱する加熱手段３としてのヒーターとで構成している循環送風手段４と、浴室天井面５に開口している天井開口６より大きなフランジ７を備えた浴室暖房乾燥機本体８において、浴室天井面５の天井開口６に下側から浴室暖房乾燥機本体８を入れ、浴室暖房乾燥機本体８のフランジ７を浴室天井面５に対して水平にまた、浴室天井面５に対して接触させない状態で浴室暖房乾燥機本体８の固定を行い、浴室暖房乾燥機本体８の固定を行った後に浴室天井面５とフランジ７をシール材９としてシリコン、または、テープなどを用いてシールすることにより、浴室暖房乾燥機本体８の循環用ファン１などが回転することによって発生する振動を浴室天井面５に伝播させるのを軽減、および施工による振動伝播のバラツキを少なくすることができる。
【００２８】
（実施の形態２）
図３〜図６に示すように、箱の中に循環用ファン１を回転させる循環用モータ２（図示せず）と、浴室内の空気を循環用ファン１と空気を加熱する加熱手段３としてのヒーターとで構成している循環送風手段４を備えた浴室暖房乾燥機本体８において、浴室天井面５に開口している天井開口６と、浴室暖房乾燥機本体８の下面１０が浴室天井面５の厚み１１の範囲で浴室天井面５と平行に固定する。浴室暖房乾燥機本体８の固定を行った後に、吸込み気流１１ａの通り道１２と、加熱手段３を使って加熱された空気で構成されている吹出し気流１２ａの通り道１３と、天井開口６より大きなパネル側フランジ部１４と四角形状をした壁１５で構成されるパネル１６のパネル側フランジ部１４を浴室天井面５に接触させ、浴室暖房乾燥機本体８の四角形状した壁１７とパネル１６の四角形状した壁１５をそれぞれ対向させ接触させた状態で、パネル１６を浴室暖房乾燥機本体８に固定、もしくはパネル１６を浴室天井面５に固定させることにより、浴室暖房乾燥機本体８と浴室天井面５をシールすることができる。
【００２９】
また、パネル１６より吹出し気流１２ａの通り道１３と、吸込み気流１１ａの通り道１２を仕切っているパネル側仕切り板１８と循環側仕切り板１９を対向させることにより、吸込み気流１１ａと吹出し気流１２ａとのショートサーキットを防止することができる。
【００３０】
また、パネル１６より垂直に立たせた四角形状をした電装蓋壁２５を浴室暖房乾燥機本体８の中にある箱形状した電装ボックス２０の電装ボックス壁２１と対向させることにより、電装ボックス２０のシールを行うことができる。
【００３１】
また、パネル１６、もしくは浴室暖房乾燥機本体８に吸込み気流１１ａの通り道である吸込み口２２、吹出し気流１２ａの通り道である吹出し口２３を供えたフロントパネル２４を固定することができる。
【産業上の利用可能性】
【００３２】
本発明にかかわる浴室暖房乾燥機は、浴室暖房乾燥機とパネルとを取り付ける構造によって、浴室に取り付ける換気扇や空気調和機等のパネルを取り付ける構造にも適用できる。
【図面の簡単な説明】
【００３３】
【図１】本発明の実施の形態１の浴室暖房乾燥機を設置した状態を示す側面構成図
【図２】同浴室暖房乾燥機の底面を示す底面構成図
【図３】本発明の実施の形態２の浴室暖房乾燥機のパネルを示す斜視図
【図４】同浴室暖房乾燥機の設置前の状態を示す側面構成図
【図５】同浴室暖房乾燥機を設置後の状態を示す側面構成図
【図６】同浴室暖房乾燥機の底面を示す底面構成図
【図７】従来の浴室暖房乾燥機の本体後付け施工後の状態を示す断面図
【図８】同浴室暖房乾燥機の本体先付け施工後の状態を示す断面図
【符号の説明】
【００３４】
３      加熱手段
４      循環送風手段
５      浴室天井面
８      浴室暖房乾燥機本体
９      シール材
１１ａ  吸込み気流
１２ａ  吹出し気流
１６    パネル
２０    電装ボックス
２４    フロントパネル
【図１】
2007322072.tif 000003
【図２】
2007322072.tif 000004
【図３】
2007322072.tif 000005
【図４】
2007322072.tif 000006
【図５】
2007322072.tif 000007
【図６】
2007322072.tif 000008
【図７】
2007322072.tif 000009
【図８】
2007322072.tif 000010